(57)【要約】【課題】撹拌棒を利用して、カップに用いられる蓋に設けられている飲み口に栓をすること。【解決手段】撹拌部１０１とつまみ部１０２とを有する撹拌棒１００であって、撹拌部１０１とつまみ部１０２との間には、カップ１０５に用いられる蓋１０６に設けられている飲み口１０７に嵌合する嵌合部１０３が設けられており、飲み口１０７からつまみ部１０１をカップ１０５の中に挿入し、つまみ部１０２を蓋１０６の外部に位置させた状態で、撹拌棒１００を飲み口１０７に対して着脱自在に取り付けることができるようにした。【選択図】　図２
2004073345.tif 000002
【特許請求の範囲】
【請求項１】
飲料用カップを閉塞する蓋に形成された飲み口からカップ内部に挿入される棒状の撹拌部と、前記飲み口に着脱自在に嵌合する嵌合部と、該嵌合部の上方に形成されたつまみ部と、を備えることを特徴とする撹拌棒。
【請求項２】
前記嵌合部は、下方の前記撹拌部側に向けて徐々に窄む形態を備えることを特徴とする請求項１記載の撹拌棒。
【請求項３】
前記嵌合部の上部には、前記飲み口に係止する鍔部が設けられたことを特徴とする請求項１に記載の撹拌棒。
【請求項４】
前記撹拌部の下端から前記つまみ部の上端にかけて貫通する孔が設けられたことにより、ストロー兼用とされたことを特徴とする請求項１に記載の撹拌棒。
【請求項５】
前記孔の上方開口部を閉塞するカバーが設けられたことを特徴とする請求項４に記載の撹拌棒。
【発明の詳細な説明】
【０００１】
【発明の属する技術分野】
本発明は、撹拌棒に関する。詳しくは、カップに用いられる蓋に設けられている飲み口に対して着脱自在に取り付けることができる撹拌棒に関する。
【０００２】
【従来の技術】
現在、ファーストフード店やカフェ等で提供されているコーヒー等の飲料を収容するカップは、該カップを閉塞する蓋の一部に飲み口を設けられ、蓋をしたままの状態で前記飲み口からカップの中に入れられたコーヒー等を飲むことができるように工夫されているものが多くなっている。
【０００３】
この種の飲料用のカップにコーヒー等の飲料を入れてテイクアウト等する場合には、蓋に設けられている前記飲み口にシールを貼って、中の飲料がこぼれないようにしておき、中の飲料を飲む場合には、このシールを剥がして飲み口を露出させるようにしていた。
【０００４】
また、カップの中にコーヒーや紅茶を入れた場合には、砂糖やミルク等を撹拌するための撹拌棒が購入者に提供され、この撹拌棒は、カップと別添で提供されている。
【０００５】
【発明が解決しようとする課題】
しかしながら、従来のように、蓋に設けられている飲み口をシールによって封止する形態の場合には、一旦シールを剥がしてしまうと、飲み口に再び栓をすることができなくなってしまうという問題があった。例えば、カップに収容された飲料を飲む行為を一時的に中断するような場合には、前記飲み口を再び栓をすることができなかった。
【０００６】
また、飲料が収容されたカップを袋に入れてテイクアウトする場合においては、店員は飲み口にシールを貼る作業と、撹拌棒を前記袋に入れ込む作業の両方を行う必要があるので作業が煩雑であり、購入者は、カップに別添の状態で提供されている撹拌棒を袋の中から取り出すことが面倒であった。
【０００７】
そこで、本発明は、撹拌棒を有効に利用して、カップに用いられる蓋に設けられている飲み口に栓をしておくことができるようにすることを目的とする。
【０００８】
【課題を解決するための手段】
以上の課題を解決するため、本発明は、飲料用カップを閉塞する蓋に形成された飲み口からカップ内部に挿入される棒状の撹拌部と、前記飲み口に着脱自在に嵌合する嵌合部と、該嵌合部の上方に形成されたつまみ部と、を備える撹拌棒を提供する。
【０００９】
棒状の撹拌部は、カップを閉塞する蓋に設けられている飲み口を通してカップの中に挿入することができる大きさ・形状のものでなければならない。つまみ部は、前記撹拌部をカップ内に挿入した時に、蓋外部に突出する部分であって、形状や大きさは適宜選択可能であり、例えば、指でつまみ易い扁平な形態を採用することができる。
【００１０】
次に、嵌合部は、撹拌部とつまみ部との間に設けられる膨出形態部であって、蓋の飲み口部分を封止する機能を有する。この嵌合部は、カップに用いられる蓋に設けられている飲み口の大きさ・形状に合わせて、前記飲み口に着脱自在に嵌め込むことができるような大きさ・形状を適宜選択できるが、飲み口にスムーズに嵌合し易いように、下方側に向けて徐々に窄むテーパー状を備える形態に形成することが望ましい。
【００１１】
なお、この嵌合部が蓋に設けられている飲み口よりも小さすぎると、カップが揺動したり、倒してしまったりした場合に、飲み口からすぐに外れてしまい、カップの中の飲料がこぼれてしまうことになるので不適であり、一方、この嵌合部が蓋に設けられている飲み口よりも大きすぎる場合には、この飲み口から撹拌棒を取り外すのに大きな力が必要となり、力を入れた拍子にカップが動いて、カップの中の飲料をこぼしてしまうことにもなる。従って、嵌合部の大きさは、蓋に設けられている飲み口よりも大きすぎず、かつ小さすぎない範囲で適宜選択する必要がある。
【００１２】
また、この嵌合部の上部に、飲み口に係止する形態の鍔部を設けておくことによって、撹拌棒を飲み口に過剰に押し込んだ場合でも、嵌合部がカップの中に入り込んでしまうことを防止することができるという利点がある。また、鍔部により、飲み口をより確実に覆うことができるため、飲み口から飲料が漏れてしまうことを防止することができるという利点もある。
【００１３】
更に、撹拌部の下端からつまみ部の上端にかけて貫通する孔を設けておくことにより、この撹拌棒をストローとしても用いることができるようになる。この場合には、孔の上方開口部を閉塞するカバーを設けるように工夫すれば、この孔からカップの中の飲料がこぼれてしまうことを防止することができる。
【００１４】
以上のように、本発明は、飲料カップの蓋に形成された飲み口を封止する機能やストロー機能を備える新規撹拌棒を提供するという技術的意義を有する。
【００１５】
【発明の実施の形態】
以下、本発明に係る撹拌棒の好適な実施形態について、添付図面に基づき説明する。図１は、本発明の第一の実施形態に係る撹拌棒１００の上方斜視図、図２は、同撹拌棒１００の使用状態を示すカップ及び蓋の縦断面図である。
【００１６】
符号１００で示す撹拌棒は、合成樹脂等で成形された略棒状の部材であって、コーヒーや紅茶等の飲料に砂糖やミルクを入れた場合にかき混ぜる撹拌部１０１と、指でつまんで撹拌等したりするためのつまみ部１０２と、を備えている。
【００１７】
この撹拌部１０１とつまみ部１０２との間には、外側に膨出する形態を備える嵌合部１０３が設けられており、また、嵌合部１０３の上部には、外側に鍔状に突出する形態を備える鍔部１０４が設けられている。
【００１８】
棒状の撹拌部１０１の幅や厚さは、蓋１０６に設けられている飲み口１０７（図２参照）からカップ１０５の中に挿入することができる程度の大きさ、形状に形成されている。
【００１９】
また、撹拌部１０１の長さＬは、図２に表されているように、蓋１０６に設けられている飲み口１０７に対して嵌合部１０３が嵌め込まれた場合において、この撹拌部１０１の下端１０１ａが、カップ１０５の底１０５ａと接触しない程度の長さに形成されている。なお、本発明実施においては、撹拌部１０１の下端周辺部位にはスプーン機能を発揮する湾曲部１０１ｂが設けられている。
【００２０】
つまみ部１０２の大きさ・形状は、この部分を指でつまんで、カップ１０５の中に入れられた飲料をかき混ぜる作業がし易い範囲で、自由に設計することができる。なお、本実施形態では、つまみ部１０２は、円形状の扁平な形態に形成されており、その幅Ｄを蓋１０６に設けられている飲み口１０７の幅よりも大きくなるように形成することによって、強く押し込んだときでも、誤ってつまみ部１０２がが飲み口１０７からカップ１０５の内部に挿入されてしまうことを有効に防止している。
【００２１】
撹拌部１０１とつまみ部１０２との間には、蓋１０６に設けられている飲み口１０７に嵌合する嵌合部１０３が設けられている。この嵌合部１０３の大きさ・形状は、図２に表されているように、飲み口１０７に嵌り込み、該飲み口１０７を封止できるような大きさ・形状を適宜選択して形成することができる。
【００２２】
本実施形態では、蓋１０６に設けられている飲み口１０７が矩形状に形成されているため、この飲み口に嵌合させる嵌合部１０３もその横断面が矩形状になるように形成されている。なお、飲み口１０７が円形や楕円形に形成されている場合には、この嵌合部１０３もその横断面が円形や楕円形になるように形成すればよい。
【００２３】
また、嵌合部１０３は、下方の撹拌部１０１側に向けて、徐々に窄むテーパー形態を備えている。このテーパー形態によって、飲み口１０７（図２参照）に対し、小さな力でスムーズに嵌め込むことができるようになり、また、飲み口１０７に、加工時のサイズ誤差が発生している場合でも、好適な位置で留まって水密状態に嵌合できるようになるので、特に好適である。
【００２４】
嵌合部１０３の上方部位（嵌合部１０３とつまみ部１０２の間）には、鍔部１０４が形成されている。図１〜図３に表されているように、鍔部１０４は、嵌合部１０３の上端部よりも外側に突出するように形成されている。
【００２５】
鍔部１０４は、蓋１０６に設けられている飲み口１０７に係止し、撹拌棒１００が、飲み口１０７を介して、カップ１０５の中に過剰に入り込んでしまうことを防止する役割を発揮している。また、鍔部１０４は、飲み口１０７を覆い、飲み口１０７からカップ１０５の中に入れられた飲料が漏れてしまうことを防止する機能も発揮している。
【００２６】
以上のように構成される撹拌棒１００の使用形態について、主に図２にも基づいて説明する。
【００２７】
まず、紙や合成樹脂で成形されたカップ１０５は、コーヒーや紅茶等の飲料が収容される容器であって、このカップ１０５には、蓋１０６によって閉塞されて、購入者に提供される。
【００２８】
前記蓋１０６には、カップ１０５の中に収容された飲料を、蓋をしたままの状態で飲むことができる飲み口１０７が開口形成されている。一般に、飲み口１０７は、カップ１０５を傾けて、カップ１０５に収容された飲料を飲むことができるようにするために、蓋１０６の上面であって、周壁１０６ａに近い所定位置に設けられる。
【００２９】
撹拌棒１００は、その棒状の撹拌部１０１が蓋１０６の前記飲み口１０６からカップ１０５の内部に向けて挿入され、このとき、嵌合部１０３は飲み口１０７を封止する。この状態で、購入者に提供される。なお、撹拌棒１０１には、嵌合部１０３よりも外側に突出している鍔部１０４が設けられているため、この鍔部１０４が飲み口１０７に係止することで、嵌合部１０３が、飲み口１０７からカップ１０５の中に過剰に入り込んでしまうことを防止している。
【００３０】
なお、このように飲み口１０７を封止する機能を有する撹拌棒１００を、蓋１０７の上方、即ち、図２のＸ方向に持ち上げて、この飲み口１０７から撹拌部１０１を抜き出して、蓋１０６から撹拌棒１００を取り外すことにより、飲み口１０７を再び開口し、カップ１０５の中の飲料を飲むことができる。
【００３１】
図３は、本発明の第二の実施形態に係る撹拌棒２００の上方斜視図である。
【００３２】
撹拌棒２００は、第一の実施形態に係る撹拌棒１００同様、撹拌部２０１とつまみ部２０２を有し、これらの撹拌部２０１とつまみ部２０２との間に嵌合部２０３が設けられている。また、嵌合部２０３とつまみ部２０２との間には、嵌合部１０３よりも外側に突出している鍔部２０４が設けられている。
【００３３】
ここで、本実施形態では、撹拌部２０１の下端２０１ａからつまみ部２０２の上端２０２ａにかけて貫通する孔２０５が設けられている。このため、この撹拌棒２００をストローとして兼用できる。
【００３４】
また、この孔２０５には、つまみ部２０２の上方、即ち、図３のＹ方向から、合成樹脂等で成形したカバー部材２１０を装着できるように工夫することもできる。即ち、図４に表されているように、カバー２１０の底面２１０ａには、つまみ部２０２が挿着できる穴２１１が設けられている。
【００３５】
この穴２１１に対して、上方に突出するつまみ部２０２を挿着させることで、つまみ部２０２の上端２０２ａに設けられている孔２０５（の上端開口部）を封止する構成とされている。これにより、飲料が収容されたカップ１０５を持ち運んだりする際に、孔２０５から飲料がこぼれてしまうことを防止できる。
【００３６】
なお、このカバー２１０の大きさ・形状及び孔２１１の大きさ、形状については、つまみ部２０２の上方から孔２０５を覆うことができるという目的を達成することができる範囲において、自由に設計することができる。
【００３７】
【発明の効果】
本発明に係る撹拌棒は、カップの蓋に設けられている飲み口の栓やストローとして機能させることができるので、便利である。
【図面の簡単な説明】
【図１】第一の実施形態に係る撹拌棒１００の上方斜視図
【図２】同撹拌棒１００の使用状態を表すカップ及び蓋の縦断面図
【図３】第二の実施形態に係る撹拌棒２００の上方斜視図。
【符号の説明】
１００、２００　撹拌棒
１０１、２０１　撹拌部
１０２、２０２　つまみ部
１０３、２０３　嵌合部
１０４、２０４　鍔部
１０５　カップ
１０６　蓋
１０７　飲み口
２０５　孔
２１０　カバー部材
【図１】
2004073345.tif 000003
【図２】
2004073345.tif 000004
【図３】
2004073345.tif 000005